(57)【特許請求の範囲】
【請求項１】
送風機から送風された送風空気の温度および湿度を調整する空調ユニットと、
前記空調ユニットで温度および湿度を調整した送風空気を車両室内に吹き出す複数のベンチレーターであって、車両ドア近傍に設けられた第１のベンチレーターおよび車両幅方向に対して中央付近に設けた第２のベンチレーターと、
前記空調ユニットで温度および湿度を調整した送風空気を前記第１のベンチレーターに導く第１の送風経路と、
前記空調ユニットで温度および湿度を調整した送風空気を前記第２のベンチレーターに導く第２の送風経路と、
前記第１の送風経路に設けられて、前記第１のベンチレーターから車両内に吹き出される送風空気の送風量を調整する第１の調整機構と、
前記第２の送風経路に設けられて、前記第２のベンチレーターから車両内に吹き出される送風空気の送風量を調整する第２の調整機構と、
前記第２のベンチレーターに設けられた開閉ダイヤルと、
前記開閉ダイヤルの操作力を伝達する伝達手段と、
前記第１および第２の調整機構の近傍に設けられて、前記伝達手段で伝達された前記開閉ダイヤルの操作力で前記第１の調整機構と前記第２の調整機構とを連動して駆動する駆動機構とを有することを特徴とする車両用空調装置。
【請求項２】
請求項１に記載の車両用空調装置において、
前記第１および第２の調整機構がともに全開状態から、前記開閉ダイヤルが操作されると、前記第１の調整機構が先に閉になり、その後、前記第２の調整機構が閉になり、
前記第１および第２の調整機構がともに全閉状態から、前記開閉ダイヤルが操作されると、前記第２の調整機構が先に開になり、その後、前記第１の調整機構が開になることを特徴とする車両用空調装置。
【請求項３】
送風機から送風された送風空気の温度および湿度を調整する空調ユニットと、
前記空調ユニットで温度および湿度を調整した送風空気を車両室内に吹き出す複数のベンチレーターであって、車両右ドア近傍に設けられた右側のベンチレーター、および、車両左ドア近傍に設けられた左側のベンチレーターと、
前記空調ユニットで温度および湿度を調整した送風空気を車両室内に吹き出す複数のベンチレーターであって、車両幅方向に対して中央付近の右側に設けられた中央右側のベンチレーター、および、車両幅方向に対して中央付近の左側に設けられた中央左側のベンチレーターと、
前記空調ユニットで温度および湿度を調整した送風空気を前記右側のベンチレーターに導く右側の送風経路と、
前記空調ユニットで温度および湿度を調整した送風空気を前記左側のベンチレーターに導く左側の送風経路と、
前記空調ユニットで温度および湿度を調整した送風空気を前記中央右側のベンチレーターに導く中央右側の送風経路と、
前記空調ユニットで温度および湿度を調整した送風空気を前記中央左側のベンチレーターに導く中央左側の送風経路と、
前記右側の送風経路に設けられて、前記右側のベンチレーターから車両内に吹き出される送風空気の送風量を調整する右側の調整機構と、
前記左側の送風経路に設けられて、前記左側のベンチレーターから車両内に吹き出される送風空気の送風量を調整する左側の調整機構と、
前記中央右側の送風経路に設けられて、前記中央右側のベンチレーターから車両内に吹き出される送風空気の送風量を調整する中央右側の調整機構と、
前記中央左側の送風経路に設けられて、前記中央左側のベンチレーターから車両内に吹き出される送風空気の送風量を調整する中央左側の調整機構と、
前記中央右側のベンチレーターに設けられた中央右側の開閉ダイヤルと、
前記中央左側のベンチレーターに設けられた中央左側の開閉ダイヤルと、
前記中央右側の開閉ダイヤルの操作力を伝達する右側の伝達手段と、
前記中央左側の開閉ダイヤルの操作力を伝達する左側の伝達手段と、
前記右側の調整機構および前記中央右側の調整機構の近傍に設けられて、前記右側の伝達手段で伝達された前記中央右側の開閉ダイヤルの操作力で前記右側の調整機構と前記中央右側の調整機構とを連動して駆動する右側の駆動機構と、
前記左側の調整機構および前記中央左側の調整機構の近傍に設けられて、前記左側の伝達手段で伝達された前記中央左側の開閉ダイヤルの操作力で前記左側の調整機構と前記中央左側の調整機構とを連動して駆動する左側の駆動機構とを有することを特徴とする車両用空調装置。
【請求項４】
請求項３に記載の車両用空調装置において、
前記右側調整の機構および中央右側の調整機構がともに全開状態から、前記中央右側の開閉ダイヤルが操作されると、前記右側の調整機構が先に閉になり、その後、前記中央右側の調整機構が閉になり、
前記右側の調整機構および中央右側の調整機構がともに全閉状態から、前記中央右側の開閉ダイヤルが操作されると、前記中央右側の調整機構が先に開になり、その後、前記右側の調整機構が開になるとともに、
前記左側の調整機構および中央左側の調整機構がともに全開状態から、前記中央左側の開閉ダイヤルが操作されると、前記左側の調整機構が先に閉になり、その後、前記中央左側の調整機構が閉になり、
前記左側の調整機構および中央左側の調整機構がともに全閉状態から、前記中央左側の開閉ダイヤルが操作されると、前記中央左側の調整機構が先に開になり、その後、前記左側の調整機構が開になることを特徴とする車両用空調装置。
【発明の詳細な説明】
【０００１】
【発明の属する技術分野】
本発明は、車両用空調装置の送風空気吹き出し口の開閉機構に関する。
【０００２】
【従来の技術】
車両用空調装置の送風空気の前席吹き出し口であるベンチレーターは、車両のインストルメントパネル内の運転席窓側、運転席側中央、助手席側中央、助手席窓側の各箇所に設けられる。各ベンチレーターには、開閉機構がそれぞれ設けられている。
【０００３】
【発明が解決しようとする課題】
運転者のみが乗車している場合、助手席側中央、助手席窓側の各ベンチレーターを閉じて、運転席窓側、運転席側中央の各ベンチレーターからの風量を増やすことで、急冷時の清涼感を早く得ることができる。また乗員にとって車両内温度および湿度が快適であるときには、ファン回転数を抑えて送風ファンの省エネルギー運転ができる。停車中に助手席側にのみ乗車している場合にも、同様のことがいえる。
【０００４】
しかし従来の車両用空調装置では、各ベンチレーターを開閉するためには、各ベンチレーターに設けられているそれぞれの開閉機構に手を伸ばして開閉をしなくてはならない。運転席から最も遠い助手席窓側ベンチレーターを開閉するためには、運転者は助手席側へ大きく身を乗りだして手を伸ばさなければならない。また、助手席側から運転席窓側ベンチレーターの開閉操作を行おうとしても、運転席窓側ベンチレーターがハンドルなどの運転操作装置の陰に位置しているため、実際には開閉操作ができない。
【０００５】
本発明は、簡単な機構で、乗員が乗車席から大きく身を乗りだして手を伸ばすことなく、ドア側吹き出し口からの送風空気量を調整することができる車両用空調装置を提供することにある。
【０００６】
【課題を解決するための手段】
（１）  請求項１の発明による車両用空調装置は、送風機から送風された送風空気の温度および湿度を調整する空調ユニットと、空調ユニットで温度および湿度を調整した送風空気を車両室内に吹き出す複数のベンチレーターであって、車両ドア近傍に設けられた第１のベンチレーターおよび車両幅方向に対して中央付近に設けた第２のベンチレーターと、空調ユニットで温度および湿度を調整した送風空気を第１のベンチレーターに導く第１の送風経路と、空調ユニットで温度および湿度を調整した送風空気を第２のベンチレーターに導く第２の送風経路と、第１の送風経路に設けられて、第１のベンチレーターから車両内に吹き出される送風空気の送風量を調整する第１の調整機構と、第２の送風経路に設けられて、第２のベンチレーターから車両内に吹き出される送風空気の送風量を調整する第２の調整機構と、第2のベンチレーターに設けられた開閉ダイヤルと、開閉ダイヤルの操作力を伝達する伝達手段と、第１および第２の調整機構の近傍に設けられて、伝達手段で伝達された開閉ダイヤルの操作力で第１の調整機構と第２の調整機構とを連動して駆動する駆動機構とを有することを特徴とする。
（２）  請求項３の発明による車両用空調装置は、送風機から送風された送風空気の温度および湿度を調整する空調ユニットと、空調ユニットで温度および湿度を調整した送風空気を車両室内に吹き出す複数のベンチレーターであって、車両右ドア近傍に設けられた右側のベンチレーター、および、車両左ドア近傍に設けられた左側のベンチレーターと、空調ユニットで温度および湿度を調整した送風空気を車両室内に吹き出す複数のベンチレーターであって、車両幅方向に対して中央付近の右側に設けられた中央右側のベンチレーター、および、車両幅方向に対して中央付近の左側に設けられた中央左側のベンチレーターと、空調ユニットで温度および湿度を調整した送風空気を右側のベンチレーターに導く右側の送風経路と、空調ユニットで温度および湿度を調整した送風空気を左側のベンチレーターに導く左側の送風経路と、空調ユニットで温度および湿度を調整した送風空気を中央右側のベンチレーターに導く中央右側の送風経路と、空調ユニットで温度および湿度を調整した送風空気を中央左側のベンチレーターに導く中央左側の送風経路と、右側の送風経路に設けられて、右側のベンチレーターから車両内に吹き出される送風空気の送風量を調整する右側の調整機構と、左側の送風経路に設けられて、左側のベンチレーターから車両内に吹き出される送風空気の送風量を調整する左側の調整機構と、中央右側の送風経路に設けられて、中央右側のベンチレーターから車両内に吹き出される送風空気の送風量を調整する中央右側の調整機構と、中央左側の送風経路に設けられて、中央左側のベンチレーターから車両内に吹き出される送風空気の送風量を調整する中央左側の調整機構と、中央右側のベンチレーターに設けられた中央右側の開閉ダイヤルと、中央左側のベンチレーターに設けられた中央左側の開閉ダイヤルと、中央右側の開閉ダイヤルの操作力を伝達する右側の伝達手段と、中央左側の開閉ダイヤルの操作力を伝達する左側の伝達手段と、右側の調整機構および中央右側の調整機構の近傍に設けられて、右側の伝達手段で伝達された中央右側の開閉ダイヤルの操作力で右側の調整機構と中央右側の調整機構とを連動して駆動する右側の駆動機構と、左側の調整機構および中央左側の調整機構の近傍に設けられて、左側の伝達手段で伝達された中央左側の開閉ダイヤルの操作力で左側の調整機構と中央左側の調整機構とを連動して駆動する左側の駆動機構とを有することを特徴とする。
【０００７】
【発明の効果】
本発明によれば、乗員が乗車席から大きく身を乗りだして手を伸ばすことなく、車両ドア近傍に設けられた吹き出し口からの送風空気量を調整することができる。
【０００８】
【発明の実施の形態】
図１〜５を用いて、本発明による車両用空調装置の一実施の形態を説明する。図１は、一実施の形態の車両用空調装置を搭載した右ハンドル車を車両斜め後方から見た斜視図である。一実施の形態の車両用空調装置は、空調ユニット１００と、各ダクト１２，２２，３２，４２とがインストルメントパネル２００の内側に設けられている。インストルメントパネル２００には、助手席窓側の吹き出し口である第１ベンチレーター１０と、助手席側中央の吹き出し口である第２ベンチレーター２０と、運転席側中央の吹き出し口である第３ベンチレーター３０と、運転席窓側の吹き出し口である第４ベンチレーター４０とが設けられている。空調ユニット１００の内部には、不図示の送風機と、送風機から送風される空気を除湿および冷却をする不図示のエバポレータと、ヒータコアへの配風比を調節する不図示のエアミックスドアと、エバポレータで除湿および冷却された送風空気を再加熱する不図示のヒータコアとが設けられている。空調ユニット１００のヒータコア下流側には第１送風経路１〜第４送風経路４の４つの送風経路が備えられている。不図示の送風機から送風された送風空気は、不図示のエバポレータおよびヒータコアを通過し、各送風経路１〜４より各ダクト１２，２２，３２，４２を通って各ベンチレーター１０，２０，３０，４０から車両室内に吹き出す。
【０００９】
助手席窓側の第１ベンチレーター１０には第１ベンチレーターダクト１２（以下、第１ダクト１２と呼ぶ）が接続されており、第１ダクト１２には第１送風経路１が接続されている。同様に助手席側中央の第２ベンチレーター２０には第２ベンチレーターダクト２２（以下、第２ダクト２２と呼ぶ）が接続されており、第２ダクト２２には第２送風経路２が接続されている。運転席側中央の第３ベンチレーター３０には第３ベンチレーターダクト３２（以下、第３ダクト３２と呼ぶ）が接続されており、第３ダクト３２には第３送風経路３が接続されている。運転席ドア側の第４ベンチレーター４０には第４ベンチレーターダクト４２（以下、第４ダクト４２と呼ぶ）が接続されており、第４ダクト４２には第４送風経路４が接続されている。
【００１０】
図２を参照して各送風経路１〜４について説明する。各送風経路１〜４には、それぞれ第１送風経路１の開閉ドア１５（以下、第１開閉ドア１５と呼ぶ）、第２送風経路２の開閉ドア２５（以下、第２開閉ドア２５と呼ぶ）、第３送風経路３の開閉ドア３５（以下、第３開閉ドア３５と呼ぶ）、第４送風経路４の開閉ドア４５（以下、第４開閉ドア４５と呼ぶ）が備えられている。各開閉ドア１５，２５，３５，４５は、回動軸１５Ｘ，２５Ｘ，３５Ｘ，４５Ｘを中心に各送風経路１〜４内で回動することにより、各ベンチレーターダクト１２，２２，３２，４２へ接続されている各送風経路１〜４を開閉する。各回動軸１５Ｘ，２５Ｘ，３５Ｘ，４５Ｘには、溝部を有するアーム１６，２６，３６，４６が一体に回動するように取り付けられている。すなわち、第１回動軸１５Ｘには第１アーム１６が、第２回動軸２５Ｘには第２アーム２６が、第３回動軸３５Ｘには第３アーム３６が、第４回動軸４５Ｘには第４アーム４６がそれぞれ一体に回動するように取り付けられている。
【００１１】
４カ所のベンチレーターのうち、助手席側中央の第２ベンチレーター２０および運転席側中央の第３ベンチレーター３０には、助手席側ベンチレーター開閉ダイヤル２３（以下、開閉ダイヤル２３と呼ぶ）および運転席側ベンチレーター開閉ダイヤル３３がそれぞれ備えられている。以下の説明では、助手席側の各ベンチレーター１０，２０について説明を行うが、運転席側の各ベンチレーター３０，４０についても同様であるので詳細な説明は省略する。
【００１２】
図３および図４を参照して、開閉ダイヤル２３の操作力を第１および第２開閉ドア１５，２５に伝達する機構について詳細に説明する。開閉ダイヤル２３には、助手席側ベンチレーター開閉ワイヤー２４（以下、開閉ワイヤー２４と呼ぶ）の一端が接続されている。開閉ワイヤー２４の他端は、助手席側ベンチレーター開閉レバー２７（以下、開閉レバー２７と呼ぶ）の第２ピン２７２近傍に接続されている。開閉レバー２７の両端には、それぞれ第１ピン２７１，第２ピン２７２が配設されており、この各ピン２７１，２７２が各回動軸１５Ｘ，２５Ｘに接続された各アーム１６，２６の溝１６１，２６１内に摺動可能に挿入されている。すなわち第１ピン２７１は第１アーム１６の第１溝部１６１へ、第２ピン２７２は第２アーム２６の第２溝部２６１へ摺動可能に挿入されている。乗員が開閉ダイヤル２３を操作することにより、開閉ダイヤル２３の動きが開閉ワイヤー２４を介して開閉レバー２７に伝えられ、この開閉レバー２７から伝達された動きが各アーム１６，２６を動かし、各開閉ドア１５，２５を開閉する。また、開閉レバー２７は、不図示のバネによって時計方向に回転する力があらかじめ掛けられている。
【００１３】
図３は、第１開閉ドア１５および第２開閉ドア２５がどちらも開の状態を表している。この図３の状態から開閉ダイヤル２３がその回動中心２３Ｘの回りを時計方向に回転されると、開閉ワイヤー２４の一端が開閉ダイヤル２３に引っ張られることで、開閉ワイヤー２４の他端が開閉レバー２７を不図示のバネの力に逆らって反時計方向に回動させる。
【００１４】
開閉レバー２７の両端に設けられている各ピン２７１，２７２は、開閉レバー２７の回動とともに、開閉レバー２７の回動中心を回動する。このとき各ピン２７１，２７２は、第１アーム１６および第２アーム２６に設けられた各溝部１６１，２６１を摺動する。よって、開閉レバー２７が回動軸２７Ｘの回りを回動することで、第１アーム１６および第２アーム２６は、移動した各ピン２７１，２７２の位置と第１アーム１６および第２アーム２６に設けられた溝部１６１，２６１の形状とによって定まる角度に、回動軸１５Ｘ，２５Ｘを中心として回動する。上述したように、第１アーム１６と第１開閉ドアの回動軸１５Ｘ、および第２アーム２６と第２開閉ドアの回動軸２５Ｘはそれぞれ一体に回動するように固定されているので、開閉ダイヤル２３を回転させると、第１開閉ドア１５および第２開閉ドア２５は、各ピン２７１，２７２の位置と各溝部１６１，２６１の形状とによって定まる角度に回動する。
【００１５】
第１開閉ドア１５および第２開閉ドア２５がどちらも開である図３に示した状態から、開閉ダイヤル２３を回動軸２３Ｘの回りを略４５度時計方向に回転させると、図４に示す状態となる。開閉ダイヤル２３の操作によって開閉レバー２７は反時計方向に略４５度回動する。このときピン２７１と溝部１６１との関係から、アーム１６は回動軸１５Ｘとともに回動軸１５Ｘの回りを時計方向に略４５度回動するので、開閉ドア１５も回動軸１５Ｘに対して時計方向に略４５度回動して送風経路１を閉じる。同時に、ピン２７２も開閉レバー２７の回動軸２７Ｘに対して反時計方向に略４５度回動するが、ピン２７２と溝部２６１との関係から、アーム２６は動かない。
【００１６】
第１開閉ドア１５が閉で、第２開閉ドア２５が開である図４に示した状態から、さらに開閉ダイヤル２３を回動軸２３Ｘの回りを略４５度時計方向に回転させると、図５に示す状態となる。開閉ダイヤル２３の操作によって開閉レバー２７は反時計方向に略４５度回動する。このときピン２７１と溝部１６１との関係から、アーム１６は動かない。同時に、ピン２７２も開閉レバー２７の回動軸２７Ｘに対して反時計方向に略４５度回動し、ピン２７２と溝部２６１との関係から、アーム２６は回動軸２５Ｘとともに回動軸２５Ｘに対して時計方向に略４５度回動するので、開閉ドア２５も回動軸２５Ｘに対して時計方向に略４５度回動して送風経路２を閉じる。
【００１７】
第１開閉ドア１５および第２開閉ドア２５がともに閉である図５に示した状態から、開閉ダイヤル２３を回動軸２３Ｘの回りを略４５度反時計方向に回転させると、上述した動作とは逆に第１開閉ドア１５および第２開閉ドア２５が開となる。すなわち、図５に示した状態から、開閉ダイヤル２３を回動軸２３Ｘの回りを略４５度反時計方向に回転させると、開閉レバー２７に設けた不図示のバネの力により、最初に第２開閉ドア２５が開となり、次に第１開閉ドア１５が開になる。
【００１８】
運転席側の各ベンチレーター３０，４０も助手席側の各ベンチレーター１０，２０と同様の構造である。
【００１９】
上記構成の車両用空調装置では、次のような作用効果を奏することができる。
（１）  インストルメントパネル２００の車両幅方向に対して中央付近に設けたベンチレータ開閉ダイヤル２３により、窓側のベンチレータ１０への送風空気量と、インストルメントパネル２００の中央付近に設けたベンチレータ２０への送風空気量とを調整する構造としたので、簡単な機構で、乗員が乗車席から大きく身を乗りだして手を伸ばすことなく、窓側のベンチレータ１０への送風空気量を調整することができる。
（２）  助手席側ベンチレーター開閉ダイヤル２３の操作で、助手席側の２箇所のベンチレーター１０，２０へ送風する各送風経路１，２に設けられた各開閉ドア１５，２５が開閉できる構造とした。これにより、運転者のみが乗車している場合、助手席窓側ベンチレーター１０、もしくは助手席窓側および助手席側中央の各ベンチレーター１０，２０を閉じて、運転席側中央、運転席窓側の各ベンチレーター３０，４０からの風量を増やすことができ、急冷時の清涼感を早く得ることができる。乗員にとって車両内温度および湿度が快適であるときには、ファン回転数を抑えて送風ファンの省エネルギー運転ができる。また、開閉ダイヤルの開度の確認も容易である。運転席側の各ベンチレーター３０，４０についても助手席側の各ベンチレーター１０，２０と同様である。
（３）  空調ユニット１００内の車両室内に最も近いところに各送風経路１〜４を設けて、各送風経路１〜４内に各開閉ドア１５，２５，３５，４５を配設した。これにより車両窓側に配設された各ベンチレーター１０、４０の開閉機構をインストルメントパネル２００中央側に配設されたベンチレーター開閉ダイヤルで操作するためのワイヤーやリンクなどの機構の配設距離が短くて済むため、設計、配設が容易でコストも低い。
【００２０】
上述の一実施の形態の車両用空調装置では、ベンチレーターの開閉機構は、ワイヤーによるリンク機構として説明したが、これに限定されない。また、ベンチレーターの開閉機構を手動で行っているが、電動式としてもよい。さらに、本発明の特徴的な機能を損なわない限り、本発明は、上述した実施の形態に何ら限定されない。
【００２１】
以上の実施の形態およびその変形例において、操作部は、助手席側ベンチレーター開閉ダイヤル２３および運転席側ベンチレーター開閉ダイヤル３３に対応する。調整機構は、助手席側については、開閉ダイヤル２３、開閉ワイヤー２４、開閉レバー２７、各アーム１６，２６および各開閉ドア１５，２５により構成される。運転席側の調整機構についても同様である。
【図面の簡単な説明】
【図１】  本発明の一実施の形態による車両用空調装置を搭載した右ハンドル車を車両斜め後方から見た斜視図である。
【図２】  本発明の一実施の形態による車両用空調装置の空調ユニット１００近傍を車両斜め後方から見た斜視図である。
【図３】  本発明の一実施の形態による車両用空調装置の空調ユニット１００から助手席側の各ベンチレーター１０，２０にかけて、車両側面から見て説明に必要な要素のみを記載した透視図であり、第１開閉ドア１５および第２開閉ドア２５がどちらも開の状態を表している。
【図４】  本発明の一実施の形態による車両用空調装置の空調ユニット１００から助手席側の各ベンチレーター１０，２０にかけて、車両側面から見て説明に必要な要素のみを記載した透視図であり、第１開閉ドア１５は閉、第２開閉ドア２５は開の状態を表している。
【図５】  本発明の一実施の形態による車両用空調装置の空調ユニット１００から助手席側の各ベンチレーター１０，２０にかけて、車両側面から見て説明に必要な要素のみを記載した透視図であり、第１開閉ドア１５および第２開閉ドア２５がどちらも閉の状態を表している。
【符号の説明】
１００  空調ユニット                  ２００   インストルメントパネル
１  第１送風経路                      ２  第２送風経路
３  第３送風経路                      ４  第４送風経路
１０  第１ベンチレーター              １２  第１ベンチレーターダクト
１５  第１送風経路開閉ドア            １６  第１アーム
２０  第２ベンチレーター              ２２  第２ベンチレーターダクト
２３  助手席側ベンチレーター開閉ダイヤル
２４  助手席側ベンチレーター開閉ワイヤー
２５  第２送風経路開閉ドア                ２６  第２アーム
２７  助手席側ベンチレーター開閉レバー    ３０  第３ベンチレーター
３２  第３ベンチレーターダクト
３３  運転席側ベンチレーター開閉ダイヤル  ３５  第３送風経路開閉ドア
４０  第４ベンチレーター                  ４２  第４ベンチレーターダクト
４５  第４送風経路開閉ドア
【図１】
0004010189.tif 000002
【図２】
0004010189.tif 000003
【図３】
0004010189.tif 000004
【図４】
0004010189.tif 000005
【図５】
0004010189.tif 000006